(57)【特許請求の範囲】
【請求項１】
複数の小立方体を三次元方向に面連結した複数の立体個片から大立方体又は大直方体を組み立てる立体パズルであり、
且つ前記大立方体又は前記大直方体は、前記小立方体の三次元方向への数が縦方向に４個以上、横方向に４個以上、高さ方向に４個以上で形成される大立方体又は大直方体であり、
前記複数の立体個片から形成された前記大立方体又は前記大直方体の内部が前記小立方体と同体積の空間の数を１以上有する構造であることにより、前記立体個片を組み合わせて前記大立方体又は前記大直方体を形成する際、１以上の前記立体個片の形状が前記大立方体又は前記大直方体の内部で互いに鍵状に掛かり止めし組み合わされる形状であるため、各前記立体個片を組み合わせ形成する場合は、前の組み合わせの前記立体個片を前記小立方体の一辺長以上に上方向及び／若しくは下方向及び／若しくは左方向及び／若しくは右方向及び／若しくは前方向及び／若しくは後ろ方向に移動させ、前記大立方体又は大直方体の内部に挿入空間を作らなければ前記各立体個片の次の組み合わせ挿入ができない形状であること
に特徴を有する立体パズル。
【請求項２】
前記複数の立体個片から形成された前記大立方体又は前記大直方体の内部は、前記小立方体と同体積の空間の数を１以上有する構造であることにより、前記大立方体又は前記大直方体を解体する際、１以上の前記立体個片の形状が前記大立方体又は前記大直方体の内部で互いに鍵状に掛かり止めし組み合わされる形状であり前記大立方体又は前記大直方体から各前記立体個片が単純に一方向に引く抜くことができない態様であるため、各前記立体個片を解体引き抜く場合は、他の前記立体個片を前記小立方体の一辺長以上に上方向及び／若しくは下方向及び／若しくは左方向及び／若しくは右方向及び／若しくは前方向及び／若しくは後ろ方向に移動させ、前記大立方体又は大直方体の内部に引き抜き空間を作らなければ前記各立体個片の解体引き抜きができない形状であること
に特徴を有する請求項１に記載の立体パズル。
【請求項３】
前記立体個片は、その各形状において、
前記大立方体又は前記大直方体の８頂点を形成する前記小立方体を有する場合は、当該頂点を形成する小立方体を削除した形状をとることができ、
前記大立方体又は前記大直方体の８頂点を形成する前記小立方体を有しない場合は、当該頂点を形成する小立方体を加えた形状をとることができること
に特徴を有する請求項１又は２に記載の立体パズル。
【請求項４】
各々の前記大立方体又は前記大直方体を形成する各々の前記立体個片の形状が、全て前記立体個片の鏡像体形状であって、前記大立方体又は前記大直方体の鏡像体形状を形成することに特徴を有する請求項１又は２に記載の立体パズル。
【発明の詳細な説明】
【技術分野】
【０００１】
本発明は、複数の異なる形状の立体個片（ブロック）を組み合わせて立方体等の立体形状を形成する立体パズルに関する。
【背景技術】
【０００２】
従来の積み木、ブロック玩具、立体パズル等の知育玩具は主に、多種類の形状の立体を複数個組合せ、積み上げて無限定の形体、または一定の決められた形体を造形するものや、凸部と凹部を設けて単一又は複数種類の形状の立体を複数個結合できるようにしたもの、 形状そのものの構造により結合又は組み立てを可能にしたもの、磁力によって接合を可能にしたものなどがある。
【０００３】
また従来の積み木玩具は、一般的に、様々な異なる形や組合辺の長さの変化によって、特定の空間において組み合わせ及びつなぎ合わせを行うものや、異なる形態の積み木又はジグソーパズルを組み合わせて使用者の創造力と空間認知能力を導き出すものなどがある。
【０００４】
しかし、これらの一般の積み木又は立体パズル等は、ほとんど所定の組合せ形態にしか組み立てられなく、使用者が創意工夫を生かして変わった造形を作り出すほかはないものが多い。また、これらの一般の積み木又は立体パズル等は、立体の組み立て構造を内部まで深く考察するに足りる形状ではなく、いわゆる大人としての難しさやおもしろさを追求できるものではなかった。また、パズル特有のおもしろさや難しさ又は立体の造形の奥深さを追求するようないわゆるマニアックな立体パズルではなかった。そのため、積み木、ブロック玩具、立体パズル等の知育玩具においては、より高度な難しさやおもしろさを追求するため、下記に挙げるような選考文献によって各種提案がなされてきた。
【０００５】
たとえば、特許文献１（特開２０１８−１９８９１２号公報）では、複数の同一形状のブロックを組み合わせて遊ぶ前記ブロック玩具であって、同一平面上で６つの立方体を連続させたような状態の全体が略コの字形状を有し、前記略コの字形状の平行な二つの辺のうち一方は前記立方体を３つ連続させ、他方は前記立方体を２つ連続させることで、前記一方を前記他方より長くした形状であることを特徴とするブロック玩具のブロックという技術開示である。
【０００６】
しかし、上記特許文献１は、全てのブロック形状が同一形状であり、それらのブロックを重ねつなぎあわせても立方体を形成することはできない。また全てのブロック形状が同一形状であるため、パズルとしてはおもしろみが欠け、単なる積み木にすぎないという大きな欠点がある。
【０００７】
特許文献２（特開２０１６−８７４５２号公報）には、接続部と、それぞれ前記接続部に接続される首部及び尾部とを備え、前記首部は、別の積み木単体の首部と組み合わせて首部組合構造を形成し又は別の積み木単体の尾部と組み合わせて首尾組合構造を形成することに用いられ、前記尾部は、別の積み木単体の尾部と組み合わせて尾部組合構造を形成し又は別の積み木単体の首部と組み合わせて前記首尾組合構造を形成し、前記３つの組合形態で他の複数の積み木単体と環状半体構造又は柱状半体構造を形成することに用いられ、前記環状半体構造と前記柱状半体構造とが前記首部組合構造、前記首尾組合構造又は前記尾部組合構造によってそれぞれ対応する別の環状半体構造又は別の柱状半体構造の尾部組合構造、首尾組合構造及び首部組合構造と組み合わせて、環状柱体又は柱体を形成する積み木単体についての技術開示がある。
【０００８】
しかし上記特許文献２も、その内容は、単なる単純な同一形状の積み木を重ねつなぎ合わせることによって立体を想造するいわゆる積み木にすぎず、例えば一定の立方体を形成させるようなおもしろさがない。またパズルとしては至って簡単なものである。また、立体パズルを形成する各ブロックの形状が単純で数が多いことが特徴である。
【０００９】
このように従来の組み立てパズルは、各ブロックどうしを組んだ後、その成形体にさらに次のブロックを組み立てていくという方式で完成させる組み立てパズルがほとんどであった。そして、立方体などの形状を作るパズルにおいても、各ブロックは、ただ押し込んでいる形態なので、逆さにすれば抜け落ちるようなものである。またパズルの作り手にとって、各ブロックの形状がわかりやすく、完成品である立方体がイメージしやすいようなものであったため至って簡易な簡単なパズルであった。
【００１０】
つまり、上記特許文献１及び特許文献２及び従来の組み立てパズルには、立方体を数種の一定の形状に分割させ、それらのブロックを立体的に重ね合わせ、且つ、次の各ブロックの重ねあわせのために前ブロックの重ね合わせを一時的に解除しつつ再度重ね組み合わせるというような難易性を提示するものはなかった。最終的に同じ立方体を形成するにしても、パズル組み立てにおいて極度の難しさを追求し、各ブロックの形状においても最終完成形態を安易に連想できない難しいパズルは存在しなかった。同様にまた、完成後の立方体を各個別ブロックに分解する難しさにおいても難しさやおもしろさに欠けるという大きな欠点があった。
【００１１】
加えて、上記特許文献１及び特許文献２及び従来の組み立てパズルでは、パズルを操作して楽しむ対象年齢も極めて低い年齢の子どもたちを対象としている単純パズル又は積み木であり、大人の楽しむことのできる高度なパズルとしては、難度が低すぎると言える。
【先行技術文献】
【特許文献】
【００１２】
【特許文献１】特開２０１８−１９８９１２号公報
【特許文献２】特開２０１６−８７４５２号公報
【発明の概要】
【発明が解決しようとする課題】
【００１３】
本発明はこうした従来技術上の問題点を解決することを企図したものであり、大人でも組み立てが難しく、試行錯誤を重ね、且つ長く楽しむことのできる難解な立体パズルを開発し提供することを目的とする。
【００１４】
本発明は、立方体を数種の一定の形状に分割させ、それらのブロック（以降、ブロックを「立体個片」とも言う。）を立体的に重ね合わせ、且つ、次の各ブロックの重ねあわせのために前ブロックの重ね合わせを一時的に解除しつつ再度重ね合わせ、最終的に立方体を形成するというようなパズルとしての難易性を追求した難しい立体パズルを開発し提供するのが目的である。そして同様に、完成後の組み立て体を各個別ブロックに分解する場合においても、難しさ及びおもしろさを追求し、いわゆる大人の楽しむ立体パズルを提供することが課題である。
【００１５】
例えば、江戸時代からの伝統工芸である「からくり箱」のような、解体、開封も、組み立て及び封印も共に難しい立体パズルであって、各ブロックは途中工程では抜け落ちない複雑構造の立体パズルを提供したい。加えて、「からくり箱」のような各ブロックの組み立て又は解体は、各ブロック単独ではできず、他のブロックを移動させつつ組み立て又は解体を繰り返し、立方体を最終的に組み立てる又は解体するというような高度な立体パズルを開発し提供することを目的・課題とする。
【課題を解決するための手段】
【００１６】
かかる課題を解決するため、本発明に係る立体パズルは、複数の小立方体を三次元方向に面連結した複数の立体個片から大立方体又は大直方体を組み立てる立体パズルであり、且つ前記大立方体又は前記大直方体は、前記小立方体の三次元方向への数が縦方向に４個以上、横方向に４個以上、高さ方向に４個以上で形成される大立方体又は大直方体であり、前記複数の立体個片から形成された前記大立方体又は前記大直方体の内部が前記小立方体と同体積の空間の数を１以上有する構造であることにより、前記立体個片を組み合わせて前記大立方体又は前記大直方体を形成する際、１以上の前記立体個片の形状が前記大立方体又は前記大直方体の内部で互いに鍵状に掛かり止めし組み合わされる形状であるため、各前記立体個片を組み合わせ形成する場合は、前の組み合わせの前記立体個片を前記小立方体の一辺長以上に上方向及び／若しくは下方向及び／若しくは左方向及び／若しくは右方向及び／若しくは前方向及び／若しくは後ろ方向に移動させ、前記大立方体又は大直方体の内部に挿入空間を作らなければ前記各立体個片の次の組み合わせ挿入ができない形状であることに特徴を有する。
【００１７】
また、本発明に係る立体パズルは、前記立体個片の全ての形状が、前記立体個片を組み合わせて前記大立方体又は前記大直方体を形成する際、前記大立方体又は前記大直方体の内部で互いに鍵状に掛かり止めし、組み合わされる形状であるため、前記大立方体又は前記大直方体から各前記立体個片が単純に一方向に引き抜くことができない態様をとることもできる。
【００１８】
そして本発明に係る立体パズルは、前記複数の立体個片から形成された前記大立方体又は前記大直方体の内部は、前記小立方体と同体積の空間の数を１以上有する構造であることにより、前記大立方体又は前記大直方体を解体する際、１以上の前記立体個片の形状が前記大立方体又は前記大直方体の内部で互いに鍵状に掛かり止めし組み合わされる形状であり前記大立方体又は前記大直方体から各前記立体個片が単純に一方向に引く抜くことができない態様であるため、各前記立体個片を解体引き抜く場合は、他の前記立体個片を前記小立方体の一辺長以上に上方向及び／若しくは下方向及び／若しくは左方向及び／若しくは右方向及び／若しくは前方向及び／若しくは後ろ方向に移動させ、前記大立方体又は大直方体の内部に引き抜き空間を作らなければ前記各立体個片の解体引き抜きができない形状であることにも特徴を有する。
【００１９】
本発明に係る立体パズルの各立体個片は、大立方体又は大直方体を形成するように各々組み合わされていく際、各立体個片が前記大立方体又は前記大直方体の内部で互いに掛かり止めし組み合わされる形状を有する。
【００２０】
つまり、本発明に係る立体パズルの各立体個片の大立方体の内部を構成する形状は、各立体個片が互いに鍵状に掛かり止めし組み合わせられる形状を有しているため、例えば、大立方体を組み合わせている途中においても、各立体個片は固定されており、逆さに持っても斜めにしても各立体個片は自然には抜け落ちることがない。以降は、大直方体を形成する立体パズルについては大立方体を形成するパズルと同様であるため、大立方体を形成する立体パズルとして説明する。
【００２１】
この本発明に係る立体パズルの各立体個片が互いに鍵状に掛かり止めし組み合わせられる形状は、前記大立方体を形成するように組み合わされた際、前記大立方体の内部に、小立方体と同体積の１個以上分の空間が形成される構造であることにより成される。
【００２２】
つまり、本発明に係る立体パズルの各立体個片の大立方体の内部を構成する形状は、各立体個片が互いに鍵状に掛かり止めし組み合わせられる形状を有しているため、大立方体への組み立てにおいて、１つの立体個片を組み立て挿入する際、簡単には挿入できない。その立体個片を組み立て挿入する前の組み合わせの１つ又は複数個の立体個片を小立方体の一辺長以上に上方向及び又は下方向及び又は左方向及び又は右方向及び又は前方及び又は後方に移動させ、内部に挿入空間を作らなければ次の立体個片が組み合わせ挿入できない形状である。
【００２３】
同様に、本発明に係る立体パズルの各立体個片の大立方体の内部を構成する形状は、各立体個片が互いに鍵状に掛かり止めし組み合わせられる形状を有しているため、大立方体の各立体個片への解体においても、１つの立体個片を抜き取る際、簡単には抜き取れない。他の立体個片の１つ又は複数個の立体個片を小立方体の一辺長以上に上方向及び又は下方向及び又は左方向及び又は右方向及び又は前方及び又は後方に移動させ、内部に抜き取るための空間を作らなければ立体個片を解体のために抜き取ることができない形状である。
【００２４】
このように本発明に係る立体パズルは、日本伝統技術である「からくり箱」のように、各立体個片（ブロックと表現してもよい。）の組み立て又は解体において、各立体個片単独の挿入又は引き抜きができず、他の立体個片を一定寸法移動させつつ組み立て又は解体抜き取りを繰り返し、大立方体を最終的に組み立てる又は解体するというような高度で難しい立体パズルである。
【００２５】
次に、本発明に係る立体パズルについて上記の概念を説明するため、具体的な形状を示しつつ本発明に係る立体パズルの個別事例を記載する。
【００２６】
まず最も簡易的な個別事例として、２立体個片から形成される小立方体の三次元方向への数が縦方向に４個、横方向に４個、高さ方向に４個（以降、三次元方向への数が縦方向に４個、横方向に４個、高さ方向に４個を「４個＊４個＊４個」と記載する。）である大立方体の本発明に係る立体パズルについて説明する。またこの個別事例を、以降「事例１（４＊４＊４、２立体個片）」と称する。
【００２７】
本発明に係る立体パズルの事例１（４＊４＊４、２立体個片）は、具体的には、前記大立方体が前記小立方体の三次元方向への数が４個＊４個＊４個で形成され図５７及び図５８に示す大立方体であり、前記大立方体は、前記立体個片が図５９及び図６０及び図６１に示すＸ個片と、前記立体個片が図５９及び図６２及び図６３に示すＹ個片とから成る態様をとることもできる。
【００２８】
すべての図面の記載方法について説明を記載する。全ての図面における斜視図は、左側前の面を前面（正面）に規定し、その右上方向から見た斜視図として記載することに統一する。そして、全ての図面における６面図は、正面図を中央にし、その上に平面図（天面図）、また平面図の上に背面図、正面図の下に底面図、正面図の右に右側面図、正面図の左に左側面図を記載する。また、全ての図面において、立体が中空筒抜けである部分は黒塗りで表す。
【００２９】
このように、本発明に係る立体パズルの事例１（４＊４＊４、２立体個片）は、既に説明したように、各Ｘ及びＹ立体個片の形状が、各立体個片が互いに鍵状に掛かり止めし組み合わせられる形状を有しているため、大立方体を組み合わせている途中においても、解体している途中においても、各立体個片は固定されており、逆さに持っても斜めにしても各立体個片は自然には抜け落ちることがない。
【００３０】
次に個別事例として、２立体個片から形成される小立方体の三次元方向への数が縦方向に４個、横方向に４個、高さ方向に４個である大立方体であって、内部に小立方体１個分の空間を有する本発明に係る立体パズルについて説明する。またこの個別事例を、以降「事例９（４＊４＊４、２立体個片、空間１）」と称する。
【００３１】
本発明に係る立体パズルの事例９（４＊４＊４、２立体個片、空間１）は、具体的には、前記大立方体が前記小立方体の三次元方向への数が４個＊４個＊４個で形成され図６４及び図６５に示す大立方体であり、前記大立方体は、前記立体個片が図６６及び図６７に示すＷ個片と、前記立体個片が図６８及び図６９に示すＺ個片とから成る態様をとることができる。
【００３２】
このように、本発明に係る立体パズルの事例９（４＊４＊４、２立体個片、空間１）は、既に説明したように、組み立てられた形状において、Ｗ及びＺ立体個片の形状が、各立体個片が互いに鍵状に掛かり止めし組み合わせられる形状を有しているため、各立体個片は固定されており、逆さに持っても斜めにしても各立体個片は自然には抜け落ちることがない。
【００３３】
加えて、この本発明に係る立体パズルの事例９（４＊４＊４、２立体個片、空間１）は、Ｗ及びＺ立体個片で組み立てられた形状において、内部に小立方体と同体積１個分の空間が形成される構造である。この少立方体１個分の空間があることにより、各立体個片が互いに鍵状に掛かり止めし組み合わせられる形状を構成することができ、各立体個片は固定され、逆さに持っても斜めにしても各立体個片は自然には抜け落ちることがない。つまり、事例９は、事例１（４＊４＊４、２立体個片）と同様に本発明の最も単純な形状の事例である。しかし事例１との違いは、内部にたった１だけの小立方体１個分の空間を有することにある。いわば請求項１の証明となる事例である。
【００３４】
次の個別事例として、３立体個片から形成される小立方体の三次元方向への数が４個＊４個＊４個である大立方体の本発明に係る立体パズルについて説明する。またこの個別事例を、以降「事例２（４＊４＊４、３立体個片）」と称する。
【００３５】
本発明に係る立体パズルの事例２（４＊４＊４、３立体個片）は、具体的には、大立方体が小立方体の三次元方向への数が４個＊４個＊４個で形成され図１及び図２に示す大立方体であり、大立方体は、立体個片が図３及び図４及び図５に示すイ個片と、立体個片が図３及び図６及び図７に示すロ個片と、立体個片が図３及び図８及び図９に示すハ個片とから成る態様をとることもできる。
【００３６】
このように、本発明に係る立体パズルの事例２（４＊４＊４、３立体個片）は、既に説明したように、各イ、ロ、ハの立体個片の形状が、各立体個片が互いに鍵状に掛かり止めし組み合わせられる形状を有し、大立方体を形成するように組み合わされた際、大立方体の内部に、小立方体と同体積の１個以上分の空間が形成される構造である。
【００３７】
これにより、各立体個片の組み合わせにおいて、立体個片の組み合わせの前の組み合わせの立体個片を小立方体の一辺長以上に上方向及び／若しくは下方向及び／若しくは左方向及び／若しくは右方向及び／若しくは前方向及び／若しくは後ろ方向に移動させ、大立方体の内部に挿入空間を作らなければ各立体個片の次の組み合わせ挿入又は解体引き抜きができない態様となっている。
【００３８】
第３の個別事例として、４立体個片から形成される小立方体の三次元方向への数が４個＊４個＊４個である大立方体の本発明に係る立体パズルについて説明する。またこの個別事例を、以降「事例３（４＊４＊４、４立体個片）」と称する。
【００３９】
本発明に係る立体パズルの事例３（４＊４＊４、４立体個片）は、具体的には、大立方体が小立方体の三次元方向への数が４個＊４個＊４個で形成され図１０及び図１１に示す大立方体であり、大立方体は、立体個片が図１２及び図１３及び図１４に示すニ個片と、立体個片が図１２及び図１５及び図１６に示すホ個片と、立体個片が図１２及び図１７及び図１８に示すヘ個片と、立体個片が図１２及び図１９及び図２０に示すト個片とから成る態様である。
【００４０】
このように、本発明に係る立体パズルの事例３（４＊４＊４、４立体個片）も、各ニ、ホ、ヘ、トの立体個片の形状が、各立体個片が互いに鍵状に掛かり止めし組み合わせられる形状を有しているため、大立方体の各立体個片への解体においても、１つの立体個片を抜き取る際、簡単には抜き取れない。他の立体個片の１つ又は複数個の立体個片を小立方体の一辺長以上に上方向及び又は下方向及び又は左方向及び又は右方向及び又は前方及び又は後方に移動させ、内部に抜き取るための空間を作らなければ立体個片を解体のために抜き取ることができない形状である。
【００４１】
第４の個別事例として、５立体個片から形成される小立方体の三次元方向への数が４個＊４個＊４個である大立方体の本発明に係る立体パズルについて説明する。またこの個別事例を、以降「事例４（４＊４＊４、５立体個片）」と称する。
【００４２】
本発明に係る立体パズルの事例４（４＊４＊４、５立体個片）は、具体的には、大立方体が小立方体の三次元方向への数が４個＊４個＊４個で形成され図２１及び図２２に示す大立方体であり、大立方体は、立体個片が図２３及び図２４及び図２５に示すチ個片と、立体個片が図２３及び図２６及び図２７に示すリ個片と、立体個片が図２３及び図２８及び図２９に示すヌ個片と、立体個片が図２３及び図３０及び図３１に示すル個片と、立体個片が図２３及び図３２及び図３３に示すヲ個片とから成る態様をとる。
【００４３】
本発明に係る立体パズルの事例４（４＊４＊４、５立体個片）も、既に述べたように、各立体個片が互いに鍵状に掛かり止めし組み合わせられる形状を有しているため、大立方体を組み合わせている途中においても、各立体個片は固定されており、逆さに持っても斜めにしても各立体個片は自然には抜け落ちることがない。大立方体から各立体個片が単純に一方向に引き抜くことができない態様をとっている。
【００４４】
第５の個別事例として、６立体個片から形成される小立方体の三次元方向への数が縦方向に６個、横方向に６個、高さ方向に６個である大立方体の本発明に係る立体パズルについて説明する。（以降、三次元方向への数が縦方向に６個、横方向に６個、高さ方向に６個を「６個＊６個＊６個」と記載する。また例えば、三次元方向への数が縦方向に５個、横方向に５個、高さ方向に５個であれば「５個＊５個＊５個」と規定し記載する。）またこの個別事例を、以降「事例５（６＊６＊６、６立体個片）」と称する。
【００４５】
本発明に係る立体パズルの事例５（６＊６＊６、６立体個片）は、具体的には、大立方体が小立方体の三次元方向への数が６個＊６個＊６個で形成され図３４及び図３５に示す大立方体であり、大立方体は、立体個片が図３６及び図３７及び図３８に示すＡ立体個片と、立体個片が図３６及び図３９及び図４０に示すＢ立体個片と、立体個片が図３６及び図４１及び図４２に示すＣ立体個片と、立体個片が図３６及び図４３及び図４４に示すＤ立体個片と、立体個片が図３６及び図４５及び図４６に示すＥ立体個片と、立体個片が図３６及び図４７及び図４８に示すＦ立体個片とから成る態様をとる。
【００４６】
つまり、上記の本発明に係る立体パズルの事例５（６＊６＊６、６立体個片）は、Ａ個片は大立方体の底面を構成し、Ｂ個片は大立方体の左側面を構成し、Ｃ個片は大立方体の背面を構成し、Ｄ個片は大立方体の天面を構成し、Ｅ個片は大立方体の右側面を構成し、Ｆ個片は大立方体の前面を構成し、Ａ個片及びＢ個片及びＣ個片及びＤ個片及びＥ個片及びＦ個片には大立方体の各６面を構成する全ての面に小立方体が３個同一方向に連結した形状の開口部を有し大立方体を完全に形成した時点で開口部が全て他の立体個片で充填された状態になる態様をとる。
【００４７】
本発明に係る立体パズルの事例５（６＊６＊６、６立体個片）は、上記各図面に示すように、本発明に係る立体パズルの各個片Ａ，Ｂ，Ｃ，Ｄ，Ｅ，Ｆが、それぞれ複雑な形状を有しているが、全て小立方体を三次元方向に面連結した形状を有している。そして、その形状の最も長い部分であっても小立方体の６個分の長さ以下であり、各個片Ａ，Ｂ，Ｃ，Ｄ，Ｅ，Ｆを組み合わせると小立方体の６個分の長さの一辺を有する大立方体を形成することができる。（図３８、図４０、図４２、図４４、図４６、図４８の三角図法に表した図中の黒塗り部分は、中空で貫通している部分の形状を把握しやすいように便宜的に黒塗りとしている。）
【００４８】
そして、Ａ個片及びＢ個片及びＣ個片及びＤ個片及びＥ個片及びＦ個片は、大立方体を形成するように組み合わされた際、各個片が大立方体の内部で互いに掛かり止めし組み合わされる形状を有する形態をとる。
【００４９】
本発明に係る立体パズルの事例５（６＊６＊６、６立体個片）は、本発明に係る立体パズルの具体例の１つであり、Ａ個片及びＢ個片及びＣ個片及びＤ個片及びＥ個片及びＦ個片は、大立方体を形成するように組み合わされた際、大立方体の内部には、小立方体の５個分の空間が形成される形態をとる。
【００５０】
このように大立方体を形成した際、内部に複数の小立方体の空間が形成されるような形状を各個片が有することにより、各個片は互いに鍵状に掛かり止めし組み合わせられる態様をとることが可能になる。
【００５１】
そして、本発明に係る立体パズルの具体例の１つである立体パズルは、大立方体を形成させるため、例えば、組み合わせの順番が、Ａ個片、Ｂ個片、Ｃ個片、Ｅ個片、Ｄ個片、Ｆ個片の順番をとることもできる。各立体個片の形状が、各立体個片の組み合わせの前の組み合わせ個片を小立方体の一辺長以上に上下左右前後方向に移動させ挿入空間を作らなければ各立体個片の組み合わせ挿入ができない形状をとる。具体的な組立方法については、発明を実施するための形態において記載する。
【００５２】
第６の個別事例として、６立体個片から形成される小立方体の三次元方向への数が６個＊６個＊６個である大立方体の本発明に係る立体パズルの簡易バージョン１について説明する。またこの個別事例を、以降「事例６（６＊６＊６、６立体個片の簡易バージョン１）」と称する。
【００５３】
本発明に係る立体パズルの事例６（６＊６＊６、６立体個片の簡易バージョン１）は、具体的には、前記Ｂ個片の形状が、図４９及び図５０に示す形状に変更され、前記Ｆ個辺の形状が、図５１及び図５２に示す形状に変更されたことにより大立方体への組み立て性を簡易化した態様をとる。
【００５４】
事例７（６＊６＊６、６立体個片の簡易バージョン２）
第７の個別事例として、６立体個片から形成される小立方体の三次元方向への数が６個＊６個＊６個である大立方体の本発明に係る立体パズルの簡易バージョン２について説明する。またこの個別事例を、以降「事例７（６＊６＊６、６立体個片の簡易バージョン２）」と称する。
【００５５】
本発明に係る立体パズルの事例７（６＊６＊６、６立体個片の簡易バージョン２）は、具体的には、更に前記Ｂ個片の形状が、図４９及び図５０に示す形状に変更され、前記Ｆ個辺の形状が、図５３及び図５４に示す形状に変更されたことにより大立方体への組み立て性を簡易化した態様をとる。
【００５６】
事例８（６＊６＊６、６立体個片の簡易バージョン３）
第８の個別事例として、６立体個片から形成される小立方体の三次元方向への数が６個＊６個＊６個である大立方体の本発明に係る立体パズルの簡易バージョン３について説明する。またこの個別事例を、以降「事例８（６＊６＊６、６立体個片の簡易バージョン３）」と称する。
【００５７】
本発明に係る立体パズルの事例８（６＊６＊６、６立体個片の簡易バージョン３）は、具体的には、前記Ｂ個片の形状が、図４９及び図５０に示す形状に変更され、前記Ｆ個辺の形状が、図５５及び図５６に示す形状に変更されたことにより大立方体への組み立て性を最も簡易化した態様をとる。
【００５８】
上記の３種類の簡易化した形態である事例６（６＊６＊６、６立体個片の簡易バージョン１）、事例７（６＊６＊６、６立体個片の簡易バージョン２）、事例８（６＊６＊６、６立体個片の簡易バージョン３）は、本発明に係る立体パズルの使用、利用においては、初心者や子供が楽しむことができるものとなる。
【００５９】
また、本発明に係る立体パズルの立体個片は、その各形状において、大立方体又は大直方体の８頂点を形成する小立方体を有する場合は、当該頂点を形成する小立方体を削除した形状をとることができ、大立方体又は大直方体の８頂点を形成する小立方体を有しない場合は当該頂点を形成する小立方体を加えた形状をとることもできる。
【００６０】
つまり、本発明に係る立体パズルの大立方体又は大直方体には、必ず８頂点（８個の頂点）が存在し、その８頂点部である小立方体を有するいくつかの立体個片で形成されている。しかし、それらの８頂点部である小立方体を有する立体個片は、その８頂点部で互いに接触する他の立体個片とその頂点部である小立方体形状を交換した形状をとることもできる。あるいは、８頂点部である小立方体を１以上削除した形状をとることもできる。
【００６１】
このように、本発明に係る立体パズルの大立方体又は大直方体は、必ずしも８頂点部がすべて存在する形状であることを限定はしない。大立方体又は大直方体の８頂点部を形成する小立方体がいくつか削除された大立方体又は大直方体であっても、本発明に係る立体パズルの技術思想の一部である。また、８頂点部で互いに接触する他の立体個片とその頂点部である小立方体形状を交換した形状をとる場合も本発明に係る立体パズルの技術思想の一部である。
【００６２】
また、本発明に係る立体パズルは、各々の大立方体又は大直方体を形成する各々の立体個片の形状が、全て立体個片の鏡像体形状であって、大立方体又は大直方体の鏡像体形状を形成する態様をとることもできる。
【００６３】
立体の鏡像体は、正確には上記図面で表した形状と異なる場合がある。本発明に係る立体パズルは、例えば上記立体個片の全ての形状が鏡像体形状であっても、大立方体を組み立てて形成することができる。このように、本発明に係る立体パズルは、個別に示した立体形状の鏡像体で構成される立体パズルであっても、本発明に係る立体パズルの技術思想の一部であることを明示する。
【００６４】
また、本発明に係る立体パズルは、その大きさ、材質を限定するものではない。立体パズルを構成し、使用できる大きさ及び材質であれば全て本発明に係る立体パズルの技術思想の一部であることを明示する。
【００６５】
本発明に係る立体パズルは、以上のように日本古来の「からくり箱」の伝統技術を取り入れ、その技術を単純な立方体の形成又は解体という立体パズルに具現化し、分割された個片の単純な組入れ又は抜き取りでは対応できない非常に難解で、立体の形成において立体幾何学的なおもしろさを追求する立体パズルとして開発し提供される技術思想である。
【００６６】
本発明は、上述した実施形態に限定されるものではなく、本発明の主旨を逸脱しない範囲内で種々変更して実施することが可能である。それらの用途別の適した形態は全て本発明の技術思想に含まれるものである。そして、従来技術を用いた均等方法も全て本発明の技術思想に内包されるものである。
【発明の効果】
【００６７】
本発明によれば、立方体を数種の一定の形状に分割させ、それらのブロックを立体的に重ね合わせ、且つ、次の各ブロックの重ね合わせのために前ブロックの重ね合わせを一時的に解除しつつ再度重ね合わせ、最終的に立方体を形成するというようなパズルとしての難易性を追求した難しい立体パズルを開発し提供することができる。
【００６８】
そして本発明によれば、完成後の組み立て体を各個別ブロックに分解するにおいても、難しさ及びおもしろさを追求し、大人の楽しむ立体パズルを開発し提供することができる。
【００６９】
加えて本発明によれば、「からくり箱」のような各ブロックの組み立て又は解体は、各ブロック単独ではできず、他のブロックを移動させつつ組み立て又は解体を繰り返し、立方体を最終的に組み立てる又は解体するというような高度な立体パズルを提供することが可能となる。
【図面の簡単な説明】
【００７０】
事例２（４＊４＊４、３立体個片）
【図１】本発明の一実施形態に係る立体パズルの小立方体４個＊４個＊４個で形成された大立方体（３立体個片）全体イメージを示した斜視概念図である。
【図２】本発明の一実施形態に係る立体パズルの小立方体４個＊４個＊４個で形成された大立方体（３立体個片）の６面のイメージを示した概念図である。
【図３】本発明の一実施形態に係る立体パズルの小立方体４個＊４個＊４個で形成された大立方体（３立体個片）全体を形成する立体個片イ、ロ、ハのイメージを示した斜視概念図である。
【図４】本発明の一実施形態に係る立体パズルの小立方体４個＊４個＊４個で形成された大立方体（３立体個片）全体を形成する立体個片イのイメージを示した斜視概念図である。
【図５】本発明の一実施形態に係る立体パズルの小立方体４個＊４個＊４個で形成された大立方体（３立体個片）全体を形成する立体個片イの６面のイメージを示した概念図である。
【図６】本発明の一実施形態に係る立体パズルの小立方体４個＊４個＊４個で形成された大立方体（３立体個片）全体を形成する立体個片ロのイメージを示した斜視概念図である。
【図７】本発明の一実施形態に係る立体パズルの小立方体４個＊４個＊４個で形成された大立方体（３立体個片）全体を形成する立体個片ロの６面のイメージを示した概念図である。
【図８】本発明の一実施形態に係る立体パズルの小立方体４個＊４個＊４個で形成された大立方体（３立体個片）全体を形成する立体個片ハのイメージを示した斜視概念図である。
【図９】本発明の一実施形態に係る立体パズルの小立方体４個＊４個＊４個で形成された大立方体（３立体個片）全体を形成する立体個片ハの６面のイメージを示した概念図である。
【００７１】
事例３（４＊４＊４、４立体個片）
【図１０】本発明の一実施形態に係る立体パズルの小立方体４個＊４個＊４個で形成された大立方体（４立体個片）全体イメージを示した斜視概念図である。
【図１１】本発明の一実施形態に係る立体パズルの小立方体４個＊４個＊４個で形成された大立方体（４立体個片）の６面のイメージを示した概念図である。
【図１２】本発明の一実施形態に係る立体パズルの小立方体４個＊４個＊４個で形成された大立方体（４立体個片）全体を形成する立体個片ニ、ホ、ヘ、トのイメージを示した斜視概念図である。
【図１３】本発明の一実施形態に係る立体パズルの小立方体４個＊４個＊４個で形成された大立方体（４立体個片）全体を形成する立体個片ニのイメージを示した斜視概念図である。
【図１４】本発明の一実施形態に係る立体パズルの小立方体４個＊４個＊４個で形成された大立方体（４立体個片）全体を形成する立体個片ニの６面のイメージを示した概念図である。
【図１５】本発明の一実施形態に係る立体パズルの小立方体４個＊４個＊４個で形成された大立方体（４立体個片）全体を形成する立体個片ホのイメージを示した斜視概念図である。
【図１６】本発明の一実施形態に係る立体パズルの小立方体４個＊４個＊４個で形成された大立方体（４立体個片）全体を形成する立体個片ホの６面のイメージを示した概念図である。
【図１７】本発明の一実施形態に係る立体パズルの小立方体４個＊４個＊４個で形成された大立方体（４立体個片）全体を形成する立体個片ヘのイメージを示した斜視概念図である。
【図１８】本発明の一実施形態に係る立体パズルの小立方体４個＊４個＊４個で形成された大立方体（４立体個片）全体を形成する立体個片ヘの６面のイメージを示した概念図である。
【図１９】本発明の一実施形態に係る立体パズルの小立方体４個＊４個＊４個で形成された大立方体（４立体個片）全体を形成する立体個片トのイメージを示した斜視概念図である。
【図２０】本発明の一実施形態に係る立体パズルの小立方体４個＊４個＊４個で形成された大立方体（４立体個片）全体を形成する立体個片トの６面のイメージを示した概念図である。
【００７２】
事例４（４＊４＊４、５立体個片）
【図２１】本発明の一実施形態に係る立体パズルの小立方体４個＊４個＊４個で形成された大立方体（５立体個片）全体イメージを示した斜視概念図である。
【図２２】本発明の一実施形態に係る立体パズルの小立方体４個＊４個＊４個で形成された大立方体（５立体個片）の６面のイメージを示した概念図である。
【図２３】本発明の一実施形態に係る立体パズルの小立方体４個＊４個＊４個で形成された大立方体（５立体個片）全体を形成する立体個片チ、リ、ヌ、ル、ヲのイメージを示した斜視概念図である。
【図２４】本発明の一実施形態に係る立体パズルの小立方体４個＊４個＊４個で形成された大立方体（５立体個片）全体を形成する立体個片チのイメージを示した斜視概念図である。
【図２５】本発明の一実施形態に係る立体パズルの小立方体４個＊４個＊４個で形成された大立方体（５立体個片）全体を形成する立体個片チの６面のイメージを示した概念図である。
【図２６】本発明の一実施形態に係る立体パズルの小立方体４個＊４個＊４個で形成された大立方体（５立体個片）全体を形成する立体個片リのイメージを示した斜視概念図である。
【図２７】本発明の一実施形態に係る立体パズルの小立方体４個＊４個＊４個で形成された大立方体（５立体個片）全体を形成する立体個片リの６面のイメージを示した概念図である。
【図２８】本発明の一実施形態に係る立体パズルの小立方体４個＊４個＊４個で形成された大立方体（５立体個片）全体を形成する立体個片ヌのイメージを示した斜視概念図である。
【図２９】本発明の一実施形態に係る立体パズルの小立方体４個＊４個＊４個で形成された大立方体（５立体個片）全体を形成する立体個片ヌの６面のイメージを示した概念図である。
【図３０】本発明の一実施形態に係る立体パズルの小立方体４個＊４個＊４個で形成された大立方体（５立体個片）全体を形成する立体個片ルのイメージを示した斜視概念図である。
【図３１】本発明の一実施形態に係る立体パズルの小立方体４個＊４個＊４個で形成された大立方体（５立体個片）全体を形成する立体個片ルの６面のイメージを示した概念図である。
【図３２】本発明の一実施形態に係る立体パズルの小立方体４個＊４個＊４個で形成された大立方体（５立体個片）全体を形成する立体個片ヲのイメージを示した斜視概念図である。
【図３３】本発明の一実施形態に係る立体パズルの小立方体４個＊４個＊４個で形成された大立方体（５立体個片）全体を形成する立体個片ヲの６面のイメージを示した概念図である。
【００７３】
事例５（６＊６＊６、６立体個片）
【図３４】本発明の一実施形態に係る立体パズルの小立方体６個＊６個＊６個で形成された大立方体（６立体個片）全体イメージを示した斜視概念図である。
【図３５】本発明の一実施形態に係る立体パズルの小立方体６個＊６個＊６個で形成された大立方体（６立体個片）の６面のイメージを示した概念図である。
【図３６】本発明の一実施形態に係る立体パズルの小立方体６個＊６個＊６個で形成された大立方体（６立体個片）全体を形成する立体個片Ａ、Ｂ、Ｃ、Ｄ、Ｅ、Ｆのイメージを示した斜視概念図である。
【図３７】本発明の一実施形態に係る立体パズルの小立方体６個＊６個＊６個で形成された大立方体（６立体個片）全体を形成する立体個片Ａのイメージを示した斜視概念図である。
【図３８】本発明の一実施形態に係る立体パズルの小立方体６個＊６個＊６個で形成された大立方体（６立体個片）全体を形成する立体個片Ａの６面のイメージを示した概念図である。
【図３９】本発明の一実施形態に係る立体パズルの小立方体６個＊６個＊６個で形成された大立方体（６立体個片）全体を形成する立体個片Ｂのイメージを示した斜視概念図である。
【図４０】本発明の一実施形態に係る立体パズルの小立方体６個＊６個＊６個で形成された大立方体（６立体個片）全体を形成する立体個片Ｂの６面のイメージを示した概念図である。
【図４１】本発明の一実施形態に係る立体パズルの小立方体６個＊６個＊６個で形成された大立方体（６立体個片）全体を形成する立体個片Ｃのイメージを示した斜視概念図である。
【図４２】本発明の一実施形態に係る立体パズルの小立方体６個＊６個＊６個で形成された大立方体（６立体個片）全体を形成する立体個片Ｃの６面のイメージを示した概念図である。
【図４３】本発明の一実施形態に係る立体パズルの小立方体６個＊６個＊６個で形成された大立方体（６立体個片）全体を形成する立体個片Ｄのイメージを示した斜視概念図である。
【図４４】本発明の一実施形態に係る立体パズルの小立方体６個＊６個＊６個で形成された大立方体（６立体個片）全体を形成する立体個片Ｄの６面のイメージを示した概念図である。
【図４５】本発明の一実施形態に係る立体パズルの小立方体６個＊６個＊６個で形成された大立方体（６立体個片）全体を形成する立体個片Ｅのイメージを示した斜視概念図である。
【図４６】本発明の一実施形態に係る立体パズルの小立方体６個＊６個＊６個で形成された大立方体（６立体個片）全体を形成する立体個片Ｅの６面のイメージを示した概念図である。
【図４７】本発明の一実施形態に係る立体パズルの小立方体６個＊６個＊６個で形成された大立方体（６立体個片）全体を形成する立体個片Ｆのイメージを示した斜視概念図である。
【図４８】本発明の一実施形態に係る立体パズルの小立方体６個＊６個＊６個で形成された大立方体（６立体個片）全体を形成する立体個片Ｆの６面のイメージを示した概念図である。
【００７４】
事例６（６＊６＊６、６立体個片の簡易バージョン１）、事例７（６＊６＊６、６立体個片の簡易バージョン２）、事例８（６＊６＊６、６立体個片の簡易バージョン３）
【図４９】本発明の一実施形態に係る立体パズルの小立方体６個＊６個＊６個で形成された大立方体（６立体個片）全体を形成する立体個片Ｂの簡易化形状イメージを示した斜視概念図である。
【図５０】本発明の一実施形態に係る立体パズルの小立方体６個＊６個＊６個で形成された大立方体（６立体個片）全体を形成する立体個片Ｂの簡易化形状の６面のイメージを示した概念図である。
【図５１】本発明の一実施形態に係る立体パズルの小立方体６個＊６個＊６個で形成された大立方体（６立体個片）全体を形成する立体個片Ｆの簡易化形状イメージを示した斜視概念図である。
【図５２】本発明の一実施形態に係る立体パズルの小立方体６個＊６個＊６個で形成された大立方体（６立体個片）全体を形成する立体個片Ｆの簡易化形状の６面のイメージを示した概念図である。
【図５３】本発明の一実施形態に係る立体パズルの小立方体６個＊６個＊６個で形成された大立方体（６立体個片）全体を形成する立体個片Ｆの簡易化形状イメージを示した斜視概念図である。
【図５４】本発明の一実施形態に係る立体パズルの小立方体６個＊６個＊６個で形成された大立方体（６立体個片）全体を形成する立体個片Ｆの簡易化形状の６面のイメージを示した概念図である。
【図５５】本発明の一実施形態に係る立体パズルの小立方体６個＊６個＊６個で形成された大立方体（６立体個片）全体を形成する立体個片Ｆの簡易化形状イメージを示した斜視概念図である。
【図５６】本発明の一実施形態に係る立体パズルの小立方体６個＊６個＊６個で形成された大立方体（６立体個片）全体を形成する立体個片Ｆの簡易化形状の６面のイメージを示した概念図である。
【００７５】
事例１（４＊４＊４、２立体個片）
【図５７】本発明の一実施形態に係る立体パズルの小立方体４個＊４個＊４個で形成された大立方体（２立体個片）全体イメージを示した斜視概念図である。
【図５８】本発明の一実施形態に係る立体パズルの小立方体４個＊４個＊４個で形成された大立方体（２立体個片）の６面のイメージを示した概念図である。
【図５９】本発明の一実施形態に係る立体パズルの小立方体４個＊４個＊４個で形成された大立方体（２立体個片）全体を形成する立体個片Ｘ、Ｙのイメージを示した斜視概念図である。
【図６０】本発明の一実施形態に係る立体パズルの小立方体４個＊４個＊４個で形成された大立方体（２立体個片）全体を形成する立体個片Ｘのイメージを示した斜視概念図である。
【図６１】本発明の一実施形態に係る立体パズルの小立方体４個＊４個＊４個で形成された大立方体（２立体個片）全体を形成する立体個片Ｘの６面のイメージを示した概念図である。
【図６２】本発明の一実施形態に係る立体パズルの小立方体４個＊４個＊４個で形成された大立方体（２立体個片）全体を形成する立体個片Ｙのイメージを示した斜視概念図である。
【図６３】本発明の一実施形態に係る立体パズルの小立方体４個＊４個＊４個で形成された大立方体（２立体個片）全体を形成する立体個片Ｙの６面のイメージを示した概念図である。
【００７６】
事例９（４＊４＊４、２立体個片、空間１）
【図６４】本発明の一実施形態に係る立体パズルの小立方体４個＊４個＊４個で形成された大立方体（２立体個片）全体イメージを示した斜視概念図である。
【図６５】本発明の一実施形態に係る立体パズルの小立方体４個＊４個＊４個で形成された大立方体（２立体個片）の６面のイメージを示した概念図である。
【図６６】本発明の一実施形態に係る立体パズルの小立方体４個＊４個＊４個で形成された大立方体（２立体個片）全体を形成する立体個片Ｗのイメージを示した斜視概念図である。
【図６７】本発明の一実施形態に係る立体パズルの小立方体４個＊４個＊４個で形成された大立方体（２立体個片）全体を形成する立体個片Ｗの６面のイメージを示した概念図である。
【図６８】本発明の一実施形態に係る立体パズルの小立方体４個＊４個＊４個で形成された大立方体（２立体個片）全体を形成する立体個片Ｚのイメージを示した斜視概念図である。
【図６９】本発明の一実施形態に係る立体パズルの小立方体４個＊４個＊４個で形成された大立方体（２立体個片）全体を形成する立体個片Ｚの６面のイメージを示した概念図である。
【発明を実施するための形態】
【００７７】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００７８】
また、全ての図面における斜視図は、左側前の面を前面に規定し、その右上方向から見た斜視図として統一する。そして、全ての図面における６面図は、正面図を中央にし、その上に平面図（天面図）、また平面図の上に背面図、正面図の下に底面図、正面図の右に右側面図、正面図の左に左側面図を記載する。また、全ての図面において、立体が中空筒抜けである部分は黒塗りで表す。
【００７９】
事例１（４＊４＊４、２立体個片）
【００８０】
図５７は、本発明の一実施形態に係る立体パズルの小立方体４個＊４個＊４個で形成された大立方体（２立体個片）全体イメージを示した斜視概念図である。また、図５８は、本発明の一実施形態に係る立体パズルの小立方体４個＊４個＊４個で形成された大立方体（２立体個片）の６面のイメージを示した概念図である。そして、図５９は、本発明の一実施形態に係る立体パズルの小立方体４個＊４個＊４個で形成された大立方体（２立体個片）全体を形成する立体個片Ｘ、Ｙのイメージを示した斜視概念図である。
【００８１】
図５７、図５８、図５９は、立体個片Ｘ、Ｙの２個から組み立て形成される大立方体であり、全体は三次元方向に小立方体が４個＊４個＊４個から構成される。本発明の最も単純な形状の事例を示している。後述するが、事例９（４＊４＊４、２立体個片、空間１）と同様な小立方体が４個＊４個＊４個から構成され２個の立体個から組み立て形成される。しかし各立体個片の形状は事例９とは異なり、内部空間の数も異なる。
【００８２】
図６０から図６３までは、上記立体個片Ｘ、Ｙの各構造を斜視図と六面図で詳細に示している。
【００８３】
本発明の一実施形態に係る立体パズルの小立方体４個＊４個＊４個で形成された大立方体（２立体個片）は、横にしても逆さにしても立体個片ＸとＹは一方向に引き抜くことはできない構造となっている。繰り返し記載するが、各立体個片は互いに掛かり止めされる形状で組み合わされているため一方向に互いに抜け落ちることがない。次に、本発明の一実施形態に係る立体パズルの小立方体４個＊４個＊４個で形成された大立方体（２立体個片）全体を、立体個片Ｘ、Ｙで分解する順番及び方法を説明する。
【００８４】
まず、立体個片Ｘを左側に小立方体１個分移動させる。そうすると、立体個片Ｘを上側に抜き取ることができる。互いの掛かり止め部が解除されるからである。以上で、本発明の一実施形態に係る立体パズルの小立方体４個＊４個＊４個で形成された大立方体（２立体個片）全体を、立体個片Ｘ、Ｙで分解することができる。
【００８５】
このように本発明の一実施形態に係る立体パズルは、全ての立体個片を抜き取る前に、他の立体個片の１個又は複数個を一定距離移動させなければ、その立体個片を抜き取ることができない構造を有している。これは組み立てる際も同様であり、１の立体個片を組み立てるために挿入する際は、その前に挿入組み立てした他の立体個片の１個又は複数個を一定距離移動させなければ、その立体個片を挿入することができない構造を有している。つまり大立方体の内部には小立方体１個以上の空間を有するため、例えば１つの立体個片をその空間を利用して一方向に移動させることにより掛かり止めが解除されて、立体個片が他方向に引き抜き出せる構造となっている。
【００８６】
事例２（４＊４＊４、３立体個片）
【００８７】
図１は、本発明の一実施形態に係る立体パズルの小立方体４個＊４個＊４個で形成された大立方体（３立体個片）全体イメージを示した斜視概念図である。また、図２は、本発明の一実施形態に係る立体パズルの小立方体４個＊４個＊４個で形成された大立方体（３立体個片）の６面のイメージを示した概念図である。そして、図３は、本発明の一実施形態に係る立体パズルの小立方体４個＊４個＊４個で形成された大立方体（３立体個片）全体を形成する立体個片イ、ロ、ハのイメージを示した斜視概念図である。
【００８８】
図１、図２、図３は、立体個片イ、ロ、ハの３個から組み立て形成される大立方体であり、全体は三次元方向に小立方体が４個＊４個＊４個から構成される。
【００８９】
図４から図９までは、上記立体個片イ、ロ、ハの各構造を斜視図と六面図で詳細に示している。
【００９０】
次に、本発明の一実施形態に係る立体パズルの小立方体４個＊４個＊４個で形成された大立方体（３立体個片）全体を、立体個片イ、ロ、ハで分解する順番及び方法を説明する。この本発明の一実施形態に係る立体パズルの小立方体４個＊４個＊４個で形成された大立方体（３立体個片）全体も、それを形成する各立体個片は互いに掛かり止め固定されているため、単純に一方向に引き抜き解体することはできない。
【００９１】
まず、立体個片ロを右側に小立方体１個分移動させる。そうすると、立体個片ハを後ろ側に抜き取ることができる。次に立体個片イを右方向に小立方体１個分移動させる。そして、立体個片イを後ろ側に抜き取ることができる。以上で、本発明の一実施形態に係る立体パズルの小立方体４個＊４個＊４個で形成された大立方体（３立体個片）全体を、立体個片イ、ロ、ハに分解することができる。
【００９２】
このように本発明の一実施形態に係る立体パズルは、全ての立体個片を抜き取る前に、他の立体個片の１個又は複数個を一定距離移動させなければ、その立体個片を抜き取ることができない構造を有している。つまり、本発明の一実施形態に係る立体パズルは、それを形成する個々の立体個片が互いに掛かり止めされた構造で固定されており、その大立方体の内部には小立方体１個以上の空間を有するため、全ての立体個片を抜き取る前に、他の立体個片の１個又は複数個を一定距離移動させなければならない態様となっている。これは組み立てる際も同様であり、１の立体個片を組み立てるために挿入する際は、その前に挿入組み立てした他の立体個片の１個又は複数個を一定距離移動させなければ、その立体個片を挿入することができない構造を有している。
【００９３】
事例３（４＊４＊４、４立体個片）
【００９４】
図１０は、本発明の一実施形態に係る立体パズルの小立方体４個＊４個＊４個で形成された大立方体（４立体個片）全体イメージを示した斜視概念図である。また、図１１は、本発明の一実施形態に係る立体パズルの小立方体４個＊４個＊４個で形成された大立方体（４立体個片）の６面のイメージを示した概念図である。そして、図１２は、本発明の一実施形態に係る立体パズルの小立方体４個＊４個＊４個で形成された大立方体（４立体個片）全体を形成する立体個片ニ、ホ、ヘ、トのイメージを示した斜視概念図である。
【００９５】
図１０、図１１、図１２は、立体個片ニ、ホ、ヘ、トの４個から組み立て形成される大立方体であり、全体は三次元方向に小立方体が４個＊４個＊４個から構成されている。
【００９６】
図１３から図２０までは、上記立体個片ニ、ホ、ヘ、トの各構造を斜視図と六面図で詳細に示している。
【００９７】
本発明の一実施形態に係る立体パズルの小立方体４個＊４個＊４個で形成された大立方体（４立体個片）全体を、立体個片ニ、ホ、ヘ、トで分解する方法の説明は割愛する。
【００９８】
事例４（４＊４＊４、５立体個片）
【００９９】
図２１は、本発明の一実施形態に係る立体パズルの小立方体４個＊４個＊４個で形成された大立方体（５立体個片）全体イメージを示した斜視概念図である。また、図２２は、本発明の一実施形態に係る立体パズルの小立方体４個＊４個＊４個で形成された大立方体（５立体個片）の６面のイメージを示した概念図である。そして、図２３は、本発明の一実施形態に係る立体パズルの小立方体４個＊４個＊４個で形成された大立方体（５立体個片）全体を形成する立体個片チ、リ、ヌ、ル、ヲのイメージを示した斜視概念図である。
【０１００】
図２１、図２２、図２３は、立体個片チ、リ、ヌ、ル、ヲの５個から組み立て形成される大立方体であり、全体は三次元方向に小立方体が４個＊４個＊４個から構成されている。
【０１０１】
図２４から図３３までは、上記立体個片チ、リ、ヌ、ル、ヲの各構造を斜視図と六面図で詳細に示している。
【０１０２】
本発明の一実施形態に係る立体パズルの小立方体４個＊４個＊４個で形成された大立方体（５立体個片）全体を、立体個片チ、リ、ヌ、ル、ヲで分解する順番及び組み立てる順番の説明は割愛する。
【０１０３】
事例５（６＊６＊６、６立体個片）
【０１０４】
図３４は、本発明の一実施形態に係る立体パズルの小立方体６個＊６個＊６個で形成された大立方体（６立体個片）全体イメージを示した斜視概念図である。また、図３５は、本発明の一実施形態に係る立体パズルの小立方体６個＊６個＊６個で形成された大立方体（６立体個片）の６面のイメージを示した概念図である。そして、図３６は、本発明の一実施形態に係る立体パズルの小立方体６個＊６個＊６個で形成された大立方体（６立体個片）全体を形成する立体個片Ａ、Ｂ、Ｃ、Ｄ、Ｅ、Ｆのイメージを示した斜視概念図である。
【０１０５】
図３４、図３５、図３６は全て同じ立体個片Ａ、Ｂ、Ｃ、Ｄ、Ｅ、Ｆの６個から組み立て形成される大立方体であり、全体は三次元方向に小立方体が６個＊６個＊６個から構成される。
【０１０６】
図３７から図４８までは、上記立体個片Ａ、Ｂ、Ｃ、Ｄ、Ｅ、Ｆの各構造を斜視図と六面図で詳細に示している。また、図３４から図４８までの斜視図は、大立方体図面も各立体個片図面も左側前面を正面とし同じ方向を向いた斜視図として描かれており、且つ右方向上側から見た斜視図となっている。
【０１０７】
また、図３４から図４８までの六面図は、大立方体図面も各立体個片図面も正面図を中央に描き、その上に平面図（天面図）、また平面図の上に背面図、正面図の下に底面図、正面図の右に右側面図、正面図の左に左側面図を描いている。全ての図面において、立体内部が中空で背後まで筒抜けである部分は黒塗りで描いている。
【０１０８】
次に、本発明の一実施形態に係る立体パズルの小立方体６個＊６個＊６個で形成された大立方体（６立体個片）全体を、立体個片Ａ、Ｂ、Ｃ、Ｄ、Ｅ、Ｆで組み立てる順番及び方法を説明する。既に述べたように、この本発明の一実施形態に係る立体パズルの小立方体６個＊６個＊６個で形成された大立方体（６立体個片）全体も、それを形成する各立体個片は互いに掛かり止め固定されているため、単純に一方向に差し込み挿入することはできない。
【０１０９】
まずＡ立体個片が基礎ベースとなる。（以降、Ａ立体個片、Ｂ立体個片、Ｃ立体個片、Ｄ立体個片、Ｅ立体個片、Ｆ立体個片共に「立体個片」を省き、Ａ、Ｂ、Ｃ、Ｄ、Ｅ、Ｆと省略して記載表現する。）
【０１１０】
Ｂ立体個片をＡの上からＡの中空部に挿入する。
【０１１１】
Ｃ立体個片の挿入。
【０１１２】
Ｂ立体個片を小立方体１個の１辺長さだけ上に上げる。（以降、「小立方体１個の１辺長さ」を省き、１、２、３と数値のみで省略して記載表現する。）次に、ＣをＢの後方から１だけ挿入する。ＣをＢ側に１だけ入れる。ＢとＣを下であるＡ側に１下げる。
【０１１３】
Ｅの挿入。
【０１１４】
Ｃを右に１移動させる。ＥをＣの右から１だけＣに挿入する。ＥをＣへ下に１だけ下げる。Ｅを左に１だけ移動させる。ＣとＥを左に１だけ移動させる。
【０１１５】
Ｄの挿入。
【０１１６】
ＣとＥを右に１だけ移動させる。Ｅを右に１だけ移動させる。Ｅを上に１だけ上げ、右に１移動させる。Ｄを上からＥに３だけ挿入する。Ｄを前に１だけ出す。Ｄを下に１下げる。ＤとＥを左に１だけ移動させると、Ｅだけ下に１下がる。ＤとＥを左に１移動させる。ＤとＥとＣを左に１だけ移動させる。Ｄを下に１下げる。
【０１１７】
Ｆの挿入。
【０１１８】
Ｄを上に１だけ上げる。ＤとＥを右に１だけ移動させる。Ａを下に３だけ抜き出す。ＣとＤとＥを右に１だけ移動させる。Ｂ、Ｃ、Ｄ、Ｅを上に１上げる。Ｆを４だけ奥に入れる。Ｆを左に１移動させる。Ｄ、Ｅを左に１移動させる。Ｂ、Ｃ、Ｄ、Ｅを１だけ下にずらす。以上で、Ｆは組み込まれるが、Ｂ、Ｄ、Ｆは、Ａが組み込めるように外側に１ずつずれている状態である。
【０１１９】
次にＢ、Ｃ、Ｄ、Ｅ、Ｆを上に３上げる。Ａの上から、Ｂ、Ｃ、Ｄ、Ｅ、Ｆを下に３下げる。Ｂを右に１だけ移動させる。Ｄを下に１下ろす。Ｆを奥へ１挿入する。これで本発明の一実施形態に係る立体パズルの小立方体６個＊６個＊６個で形成された大立方体（６立体個片）全体が完成する。解体する場合は、全て逆の順番となる。
【０１２０】
このように本発明の一実施形態に係る立体パズルは、組み立てる際、各立体個片を差し込み挿入する前に、既に組み立て挿入された他の立体個片の１個又は複数個を一定距離移動させなければ、次の立体個片を差し込み挿入することができない構造を有している。つまり、本発明の一実施形態に係る立体パズルは、それを形成する個々の立体個片が互いに掛かり止めされ固定される構造を有しているからである。また、その大立方体の内部には小立方体１個以上の空間を有する構造であるため、次の立体個片を差し込み挿入する前に、前の立体個片の１個又は複数個を一定距離移動させることができる。その後、その立体個片を差し込み挿入し、他の立体個片をもとの位置に移動させて戻し、互いの掛かり止め固定が完了する構造となっている。これは解体分解する際も同様であり、１の立体個片を解体のため抜き取る際は、その前に他の立体個片の１個又は複数個を一定距離移動させなければ、当該１の立体個片を解体のため抜き取ることができない構造を有している。
【０１２１】
事例６（６＊６＊６、６立体個片の簡易バージョン１）、事例７（６＊６＊６、６立体個片の簡易バージョン２）、事例８（６＊６＊６、６立体個片の簡易バージョン３）について個別に説明する。
【０１２２】
事例６（６＊６＊６、６立体個片の簡易バージョン１）
【０１２３】
本発明に係る立体パズルの事例６（６＊６＊６、６立体個片の簡易バージョン１）は、具体的には、前記Ｂ個片の形状が、図４９及び図５０に示す形状に変更され、前記Ｆ個片の形状が、図５１及び図５２に示す形状に変更されたことにより大立方体への組み立て性を簡易化した態様をとる。
【０１２４】
図４９は、本発明の一実施形態に係る立体パズルの小立方体６個＊６個＊６個で形成された大立方体（６立体個片）全体を形成する立体個片Ｂの簡易化形状イメージを示した斜視概念図である。図５０は、本発明の一実施形態に係る立体パズルの小立方体６個＊６個＊６個で形成された大立方体（６立体個片）全体を形成する立体個片Ｂの簡易化形状の６面のイメージを示した概念図である。図５１は、本発明の一実施形態に係る立体パズルの小立方体６個＊６個＊６個で形成された大立方体（６立体個片）全体を形成する立体個片Ｆの簡易化形状イメージを示した斜視概念図である。
図５２は、本発明の一実施形態に係る立体パズルの小立方体６個＊６個＊６個で形成された大立方体（６立体個片）全体を形成する立体個片Ｆの簡易化形状の６面のイメージを示した概念図である。
【０１２５】
Ｂ個片の形状が、図４９及び図５０に示す形状に変更され、Ｆ個辺の形状が、図５１及び図５２に示す形状に変更されたことにより大立方体への組み立てが簡単にできるようになる。
【０１２６】
事例７（６＊６＊６、６立体個片の簡易バージョン２）
【０１２７】
本発明に係る立体パズルの事例７（６＊６＊６、６立体個片の簡易バージョン２）は、具体的には、更にＢ個片の形状が、図４９及び図５０に示す形状に変更され、Ｆ個片の形状が、図５３及び図５４に示す形状に変更されたことにより大立方体への組み立て性を簡易化することができる。
【０１２８】
図５３は、本発明の一実施形態に係る立体パズルの小立方体６個＊６個＊６個で形成された大立方体（６立体個片）全体を形成する立体個片Ｆの簡易化形状イメージを示した斜視概念図である。図５４は、本発明の一実施形態に係る立体パズルの小立方体６個＊６個＊６個で形成された大立方体（６立体個片）全体を形成する立体個片Ｆの簡易化形状の６面のイメージを示した概念図である。図５５は、本発明の一実施形態に係る立体パズルの小立方体６個＊６個＊６個で形成された大立方体（６立体個片）全体を形成する立体個片Ｆの簡易化形状イメージを示した斜視概念図である。
図５６は、本発明の一実施形態に係る立体パズルの小立方体６個＊６個＊６個で形成された大立方体（６立体個片）全体を形成する立体個片Ｆの簡易化形状の６面のイメージを示した概念図である
【０１２９】
事例８（６＊６＊６、６立体個片の簡易バージョン３）
【０１３０】
本発明に係る立体パズルの事例８（６＊６＊６、６立体個片の簡易バージョン３）は、具体的には、Ｂ個片の形状が、図４９及び図５０に示す形状に変更され、Ｆ個片の形状が、図５５及び図５６に示す形状に変更されたことにより大立方体への組み立て性を最も簡易化することができる。
【０１３１】
事例９（４＊４＊４、２立体個片、空間１）
【０１３２】
図６４は、本発明の一実施形態に係る立体パズルの小立方体４個＊４個＊４個で形成された大立方体（２立体個片）全体イメージを示した斜視概念図である。図６５は、本発明の一実施形態に係る立体パズルの小立方体４個＊４個＊４個で形成された大立方体（２立体個片）の６面のイメージを示した概念図である。
【０１３３】
図６６は、本発明の一実施形態に係る立体パズルの小立方体４個＊４個＊４個で形成された大立方体（２立体個片）全体（図６４、図６５）を形成する立体個片Ｗのイメージを示した斜視概念図である。図６７は、本発明の一実施形態に係る立体パズルの小立方体４個＊４個＊４個で形成された大立方体（２立体個片）全体（図６４、図６５）を形成する立体個片Ｗの６面のイメージを示した概念図である。
【０１３４】
図６８は、本発明の一実施形態に係る立体パズルの小立方体４個＊４個＊４個で形成された大立方体（２立体個片）全体（図６４、図６５）を形成する立体個片Ｚのイメージを示した斜視概念図である。図６９は、本発明の一実施形態に係る立体パズルの小立方体４個＊４個＊４個で形成された大立方体（２立体個片）全体（図６４、図６５）を形成する立体個片Ｚの６面のイメージを示した概念図である。
【０１３５】
つまり、図６６の立体個片Ｗと図６８の立体個片Ｚの２立体個片によって図６４及び図６５の大立方体は構成されている。既に記載した事例１（４＊４＊４、２立体個片）と同様に、本発明の最も単純な形状の事例を示している。小立方体が４個＊４個＊４個から構成され２個（ＷとＺ）の立体個片から組み立て形成される。しかし各立体個片の形状は事例１とは異なり、内部空間の数も異なる。この事例９（４＊４＊４、２立体個片、空間１）の特徴は、後述するが、内部にたった１だけの小立方体１個分の空間を有することである。本発明の最も単純な形状の事例であり、内部にたった１の小立方体１個分の空間を有する場合の典型例である。いわば請求項１の証明となる事例である。
【０１３６】
本発明の一実施形態に係る立体パズルの小立方体４個＊４個＊４個で形成された大立方体（２立体個片）全体（図６４、図６５）は、横にしても逆さにしても立体個片ＷとＺは一方向に引き抜くことはできない構造となっている。繰り返し記載するが、各立体個片は互いに掛かり止めされる形状で組み合わされているため一方向に互いに抜け落ちることがない。
【０１３７】
このように本発明の一実施形態に係る立体パズルは、立体個片を抜き取る前に、他の立体個片を一定距離移動させなければ、その立体個片を抜き取ることができない構造を有している。これは組み立てる際も同様であり、立体個片を組み立てるために挿入する際は、他の立体個片に一度挿入し、その後、直角方向に移動させなければ、その立体個片を挿入することができない構造を有している。つまり大立方体の内部には小立方体１個以上の空間を有するため、例えば１つの立体個片をその空間を利用して一方向に移動させることにより掛かり止めが解除されて、立体個片が他方向に引き抜き出せる構造となっている。
【０１３８】
また、この図６４から図６９に示す事例９（４＊４＊４、２立体個片、空間１）の本発明の一実施形態に係る立体パズルは、内部に１の小立方体１個の空間を有する最も単純な典型例である。理由は以下である。
【０１３９】
図６６及び図６７に示す立体個片Ｗは、図６６において最下段である１層目に１０個、２層目に８個、３層目に１０個、最上段である４層目に６個の合計３４個の小立方体を有する。一方、図６８及び図６９に示す立体個片Ｚは、図６８において最下段である１層目に６個、２層目に８個、３層目に５個、最上段である４層目に１０個の合計２９個の小立方体を有する。よって、立体個片Ｗと立体個片Ｚは、合計６３個の小立方体を有する。
【０１４０】
図６４に示す事例９（４＊４＊４、２立体個片、空間１）の本発明の一実施形態に係る立体パズルは、内部に空間が無いと仮定すると４＊４＊４の６４個の小立方体で形成されているはずである。つまり、６４個―６３個＝１個の小立方体の空間が存在することがわかる。
【０１４１】
このように本発明に係る立体パズルは、複数の小立方体を三次元方向に面連結した複数の立体個片から大立方体又は大直方体を組み立てる立体パズルであり、且つ前記大立方体又は前記大直方体は、前記小立方体の三次元方向への数が縦方向に４個以上、横方向に４個以上、高さ方向に４個以上で形成される大立方体又は大直方体であり、前記複数の立体個片から形成された前記大立方体又は前記大直方体の内部は、前記小立方体と同体積の空間の数を１以上有する構造であることにより、前記立体個片を組み合わせて前記大立方体又は前記大直方体を形成する際、１以上の前記立体個片の形状が前記大立方体又は前記大直方体の内部で互いに鍵状に掛かり止めし、組み合わされる形状であることに特徴を有する立体パズルであることの証明である。
【０１４２】
以上、本発明に係る立体パズルの具体的形態については、図面を記載することによって明らかになった。また、本発明に係る立体パズルの技術思想は、上記の具体的形態を包含し、且つ上記の具体的形態から導き出される共通の立体形状概念を形成するものである。
【０１４３】
本発明は、上述した実施形態に限定されるものではなく、本発明の主旨を逸脱しない範囲内で種々変更して実施することが可能である。それらの用途別の適した形態は全て本発明の技術思想に含まれるものである。そして、従来技術を用いた均等方法も全て本発明の技術思想に内包されるものである。
【産業上の利用可能性】
【０１４４】
上述したように、本願に係る発明によれば、立方体又は直方体を数種の一定の形状に分割させ、それらのブロック（立体個辺）を立体的に重ね合わせ、且つ、次の各ブロックの重ね合わせのために前ブロックの重ね合わせを一時的に解除しつつ再度重ね合わせ、最終的に立方体を形成するというようなパズルとしての難易性を追求した難しい立体パズルを提供することができる。
【０１４５】
つまり、江戸時代からの伝統工芸である「からくり箱」のように、各ブロックの組み立て又は解体は、各ブロック単独ではできず、他のブロックを移動させつつ組み立て又は解体を繰り返し、立方体を最終的に組み立てる又は解体するというような高度な立体パズルを提供することができる。つまり難しさ及びおもしろさを追求し、いわゆる大人が楽しむことのできる立体パズルを提供することができる。
【０１４６】
したがって、本発明は、その子供だけではなく、大人、お年寄りも楽しむことができる立体パズルであるため、本願は、製造、流通、販売、購入利用等を伴う各種産業に対して大きな有益性をもたらすものである。
【符号の説明】
【０１４７】
符号は全て上記文書及び図中に記載する。
【図１】
0006962645.tif 000002
【図２】
0006962645.tif 000003
【図３】
0006962645.tif 000004
【図４】
0006962645.tif 000005
【図５】
0006962645.tif 000006
【図６】
0006962645.tif 000007
【図７】
0006962645.tif 000008
【図８】
0006962645.tif 000009
【図９】
0006962645.tif 000010
【図１０】
0006962645.tif 000011
【図１１】
0006962645.tif 000012
【図１２】
0006962645.tif 000013
【図１３】
0006962645.tif 000014
【図１４】
0006962645.tif 000015
【図１５】
0006962645.tif 000016
【図１６】
0006962645.tif 000017
【図１７】
0006962645.tif 000018
【図１８】
0006962645.tif 000019
【図１９】
0006962645.tif 000020
【図２０】
0006962645.tif 000021
【図２１】
0006962645.tif 000022
【図２２】
0006962645.tif 000023
【図２３】
0006962645.tif 000024
【図２４】
0006962645.tif 000025
【図２５】
0006962645.tif 000026
【図２６】
0006962645.tif 000027
【図２７】
0006962645.tif 000028
【図２８】
0006962645.tif 000029
【図２９】
0006962645.tif 000030
【図３０】
0006962645.tif 000031
【図３１】
0006962645.tif 000032
【図３２】
0006962645.tif 000033
【図３３】
0006962645.tif 000034
【図３４】
0006962645.tif 000035
【図３５】
0006962645.tif 000036
【図３６】
0006962645.tif 000037
【図３７】
0006962645.tif 000038
【図３８】
0006962645.tif 000039
【図３９】
0006962645.tif 000040
【図４０】
0006962645.tif 000041
【図４１】
0006962645.tif 000042
【図４２】
0006962645.tif 000043
【図４３】
0006962645.tif 000044
【図４４】
0006962645.tif 000045
【図４５】
0006962645.tif 000046
【図４６】
0006962645.tif 000047
【図４７】
0006962645.tif 000048
【図４８】
0006962645.tif 000049
【図４９】
0006962645.tif 000050
【図５０】
0006962645.tif 000051
【図５１】
0006962645.tif 000052
【図５２】
0006962645.tif 000053
【図５３】
0006962645.tif 000054
【図５４】
0006962645.tif 000055
【図５５】
0006962645.tif 000056
【図５６】
0006962645.tif 000057
【図５７】
0006962645.tif 000058
【図５８】
0006962645.tif 000059
【図５９】
0006962645.tif 000060
【図６０】
0006962645.tif 000061
【図６１】
0006962645.tif 000062
【図６２】
0006962645.tif 000063
【図６３】
0006962645.tif 000064
【図６４】
0006962645.tif 000065
【図６５】
0006962645.tif 000066
【図６６】
0006962645.tif 000067
【図６７】
0006962645.tif 000068
【図６８】
0006962645.tif 000069
【図６９】
0006962645.tif 000070